【手続補正書】
【提出日】平成20年10月9日(2008.10.9)
【手続補正１】
【補正対象書類名】明細書
【補正対象項目名】特許請求の範囲
【補正方法】変更
【補正の内容】
【特許請求の範囲】
【請求項１】  格納された１又は複数の映像／音声ファイルからデータストリームを供給させるストリームサーバの作動方法であって、
クライアント要求のプレゼンテーション作動の指示を含む信号をクライアント装置から受信し、前記ストリームサーバによって実施されたとき、前記ストリームサーバから前記クライアント装置へ送信されている第１の映像／音声ストリームの音声データのデータレートを減少させること、又は前記クライアント装置に対する前記第１の映像／音声ストリームの前記音声データの伝送を除去することを含み、
前記クライアント要求のプレゼンテーション作動を実施し、
前記クライアント要求のプレゼンテーション作動を実施する動作は、前記第１の映像／音声ストリームの前記音声データのデータレートを減少すること、又は前記クライアント装置に対する前記第１の映像／音声ストリームの前記音声データの前記伝送を除去することを含み、
前記第１の映像／音声ストリームの前記音声データのデータレートの減少、又は前記第１の映像／音声ストリームの前記音声データの除去に一致する伝送バンド幅への作用の結果として、第２の映像／音声データストリームのデータレートが増加する量を判断し、
前記指示はオーディオを消音するという指示を含む
ことを特徴とする方法。
【請求項２】  格納された１又は複数の映像／音声ファイルからデータストリームを供給させるストリームサーバの作動方法であって、
クライアント要求のプレゼンテーション作動の指示を含む信号をクライアント装置から受信し、前記ストリームサーバによって実施されたとき、前記ストリームサーバから前記クライアント装置へ送信されている第１の映像／音声ストリームの音声データのデータレートを減少させること、又は前記クライアント装置に対する前記第１の映像／音声ストリームの前記音声データの伝送を除去することを含み、
前記クライアント要求のプレゼンテーション作動を実施し、
前記クライアント要求のプレゼンテーション作動を実施する動作は、前記第１の映像／音声ストリームの前記音声データのデータレートを減少すること、又は前記クライアント装置に対する前記第１の映像／音声ストリームの前記音声データの前記伝送を除去することを含み、
前記第１の映像／音声ストリームの前記音声データのデータレートの減少、又は前記第１の映像／音声ストリームの前記音声データの除去に一致する伝送バンド幅への作用の結果として、第２の映像／音声データストリームのデータレートが増加する量を判断し、かつ、
前記第１及び第２の映像／音声ストリームの両方は、異なる単一プログラムトランスポートストリームに含まれ、前記異なる単一プログラムトランスポートストリームの各々は、前記異なる単一プログラムトランスポートストリームの両方を含む多重プログラムトランスポートストリームの一部である
ことを特徴とする方法。
【請求項３】  格納された１又は複数の映像／音声ファイルからデータストリームを供給させるストリームサーバの作動方法であって、
クライアント要求のプレゼンテーション作動の指示を含む信号をクライアント装置から受信し、前記ストリームサーバによって実施されたとき、前記ストリームサーバから前記クライアント装置へ送信されている第１の映像／音声ストリームの音声データのデータレートを減少させること、又は前記クライアント装置に対する前記第１の映像／音声ストリームの前記音声データの伝送を除去することを含み、
前記クライアント要求のプレゼンテーション作動を実施し、
前記クライアント要求のプレゼンテーション作動を実施する動作は、前記第１の映像／音声ストリームの前記音声データのデータレートを減少すること、又は前記クライアント装置に対する前記第１の映像／音声ストリームの前記音声データの前記伝送を除去することを含み、
前記第１の映像／音声ストリームの前記音声データのデータレートの減少、又は前記第１の映像／音声ストリームの前記音声データの除去に一致する伝送バンド幅への作用の結果として、第２の映像／音声データストリームのデータレートが増加する量を判断し、かつ、
前記第１のデータストリームの前記音声データのデータレートを減少させること、又は前記クライアント装置に対する第１の映像／音声ストリームの前記音声データの前記伝送を除去することは、
前記第１の映像／音声ストリームにおいて前記クライアント装置へ送信可能なデータパケットを含むパケットストリームを、パケットフローの一部としてマルチプレクサに供給することと、
前記マルチプレクサを作動し、前記パケットストリーム上でフィルタリング作動を実行し、前記第１の映像／音声ストリームの音声データのデータレートを減少又は除去することと、
前記マルチプレクサを作動し、前記第１の映像／音声ストリームを出力することと
を含むことを特徴とする方法。
【請求項４】  格納された１又は複数の映像／音声ファイルからデータストリームを供給させるストリームサーバの作動方法であって、
クライアント要求のプレゼンテーション作動の指示を含む信号をクライアント装置から受信し、前記ストリームサーバによって実施されたとき、前記ストリームサーバから前記クライアント装置へ送信されている第１の映像／音声ストリームの音声データのデータレートを減少させること、又は前記クライアント装置に対する前記第１の映像／音声ストリームの前記音声データの伝送を除去することを含み、
前記クライアント要求のプレゼンテーション作動を実施し、
前記クライアント要求のプレゼンテーション作動を実施する動作は、前記第１の映像／音声ストリームの前記音声データのデータレートを減少すること、又は前記クライアント装置に対する前記第１の映像／音声ストリームの前記音声データの前記伝送を除去することを含み、
前記第１の映像／音声ストリームの前記音声データのデータレートの減少、又は前記第１の映像／音声ストリームの前記音声データの除去に一致する伝送バンド幅への作用の結果として、第２の映像／音声データストリームのデータレートが増加する量を判断し、かつ、
前記第２の映像／音声ストリームを前記クライアント装置以外の装置へ供給し、前記第１の映像／音声ストリームを前記クライアント装置以外の前記装置へ供給しない
ことを特徴とする方法。
【請求項５】  格納された１又は複数の映像／音声ファイルからデータストリームを供給させるストリームサーバの作動方法であって、
前記ストリームサーバは１又は複数のクライアント装置へ第１の映像／音声ストリームと第２の映像／音声ストリームとを供給し、
クライアント要求のプレゼンテーション作動の指示を含む信号を前記クライアント装置の１つから受信し、前記ストリームサーバによって実施されたとき、前記第１の映像／音声ストリームの映像又は音声データのデータレートを減少させること、又は前記第１の映像／音声ストリームの前記映像又は音声データの伝送を除去することを含み、
前記クライアント要求のプレゼンテーション作動を実施し、
前記クライアント要求のプレゼンテーション作動を実施する動作は、前記第１の映像／音声ストリームの映像又は音声データのデータレートを減少すること、又は前記第１の映像／音声ストリームの前記映像又は音声データの前記伝送を除去することを含み、
前記第１の映像／音声ストリームの映像又は音声データのデータレートの減少、又は前記第１の映像／音声ストリームの前記映像又は音声データの除去に一致する伝送バンド幅への作用の結果として、第３の映像／音声データストリームがストリーミングされるかを判断し、
前記指示はオーディオを消音するという指示を含む
ことを特徴とする方法。
【請求項６】  格納された１又は複数の映像／音声ファイルからデータストリームを供給させるストリームサーバの作動方法であって、
前記ストリームサーバは１又は複数のクライアント装置へ第１の映像／音声ストリームと第２の映像／音声ストリームとを供給し、
クライアント要求のプレゼンテーション作動の指示を含む信号を前記クライアント装置の１つから受信し、前記ストリームサーバによって実施されたとき、前記第１の映像／音声ストリームの映像又は音声データのデータレートを減少させること、又は前記第１の映像／音声ストリームの前記映像又は音声データの伝送を除去することを含み、
前記クライアント要求のプレゼンテーション作動を実施し、
前記クライアント要求のプレゼンテーション作動を実施する動作は、前記第１の映像／音声ストリームの映像又は音声データのデータレートを減少すること、又は前記第１の映像／音声ストリームの前記映像又は音声データの前記伝送を除去することを含み、
前記第１の映像／音声ストリームの映像又は音声データのデータレートの減少、又は前記第１の映像／音声ストリームの前記映像又は音声データの除去に一致する伝送バンド幅への作用の結果として、第３の映像／音声データストリームがストリーミングされるかを判断し、
前記第１、第２、及び第３の映像／音声データストリームの各々を異なるクライアント装置へ伝送する
ことを特徴とする方法。
【請求項７】  格納された１又は複数の映像／音声ファイルからデータストリームを供給させるストリームサーバの作動方法であって、
クライアント要求のプレゼンテーション作動の指示を含む信号をクライアント装置の１つから受信し、前記ストリームサーバによって実施されたとき、前記ストリームサーバから前記クライアント装置へ送信される第１の映像／音声ストリームの音声データのデータレートを増加させることを含み、
前記クライアント要求のプレゼンテーション作動を実施し、
前記クライアント要求のプレゼンテーション作動を実施する動作は、前記クライアント装置に対する前記第１の映像／音声ストリームの音声データのデータレートを増加させることを含み、
前記第１の映像／音声ストリームの前記音声データのデータレートの増加に一致する伝送バンド幅への作用の結果として、第２の映像／音声データストリームが減少されるべきかを判断し、かつ、
前記第１及び第２の映像／音声ストリームの両方は、異なる単一プログラムトランスポートストリームに含まれ、前記異なる単一プログラムトランスポートストリームの各々は、前記異なる単一プログラムトランスポートストリームの両方を含む多重プログラムトランスポートストリームの一部である
ことを特徴とする方法。
【請求項８】  格納された１又は複数の映像／音声ファイルからデータストリームを供給させるストリームサーバの作動方法であって、
クライアント要求のプレゼンテーション作動の指示を含む信号をクライアント装置の１つから受信し、前記ストリームサーバによって実施されたとき、前記ストリームサーバから前記クライアント装置へ送信される第１の映像／音声ストリームの音声データのデータレートを増加させることを含み、
前記クライアント要求のプレゼンテーション作動を実施し、
前記クライアント要求のプレゼンテーション作動を実施する動作は、前記クライアント装置に対する前記第１の映像／音声ストリームの音声データのデータレートを増加させることを含み、
前記第１の映像／音声ストリームの前記音声データのデータレートの増加に一致する伝送バンド幅への作用の結果として、第２の映像／音声データストリームが減少されるべきかを判断し、
前記第２の映像／音声ストリームを前記クライアント装置以外の装置へ供給する
ことを特徴とする方法。
【請求項９】  格納された１又は複数の映像／音声ファイルからデータストリームを供給させるストリームサーバの作動方法であって、
クライアント要求のプレゼンテーション作動の指示を含む信号をクライアント装置の１つから受信し、前記ストリームサーバによって実施されたとき、前記ストリームサーバから前記クライアント装置へ送信される第１の映像／音声ストリームの音声データのデータレートを増加させることを含み、
前記クライアント要求のプレゼンテーション作動を実施し、
前記クライアント要求のプレゼンテーション作動を実施する動作は、前記クライアント装置に対する前記第１の映像／音声ストリームの音声データのデータレートを増加させることを含み、
前記第１の映像／音声ストリームの前記音声データのデータレートの増加に一致する伝送バンド幅への作用の結果として、第２の映像／音声データストリームが減少されるべきかを判断し、
前記第１の映像／音声ストリームにおいて前記クライアント装置へ送信可能なデータパケットを含むパケットストリームを、パケットフローの一部として変形マルチプレクサに供給し、
前記変形マルチプレクサを作動し、前記パケットストリーム上でフィルタリング作動を実行し、前記第２の映像／音声ストリームに含まれるデータ量を制御し、前記フィルタリングは前記クライアント要求動作に応答して前記データレートを減少させるよう実行され、
前記変形マルチプレクサを作動し、前記第２の映像／音声ストリームを出力する
ことを特徴とする方法。
【請求項１０】  格納された１又は複数の映像／音声ファイルからデータストリームを供給させるストリームサーバ装置によって実行された際、前記ストリームサーバ装置に実行させる命令を含むコンピュータプログラムであって、
前記ストリームサーバが前記クライアント装置にストリーミングしている第１の映像／音声ストリームの音声データのバンド幅要求に影響を与えるクライアント要求のプレゼンテーション作動の指示を解釈するステップと、
前記指示から前記作動を識別して前記作動を実行し、その結果前記クライアントに対する前記第１の映像／音声ストリームの音声データのレートを変化させるステップと、
前記第１の映像／音声ストリームの前記音声データに対する変化率のハンド幅影響の結果として、第２の映像／音声データストリームの映像ストリーミングレートが変化すべき量を判断し、前記量に従って前記第２の映像／音声データストリームの映像ストリーミングレートを変化させるステップと、を備え、
前記クライアントへストリーミングされる前記音声ストリームの品質変更又は除去を含む作動として前記指示を前記ストリームサーバに解釈させることを可能にする前記命令は、前記音声ストリームはモノラルからステレオへ、又はステレオからモノラルへ変更すべきである、或いは前記音声ストリームは消音若しくは非消音にすべきであることを意味する指示を前記ストリームサーバに解釈させることを可能にする命令を含む
ことを特徴とするプログラム。
【請求項１１】  格納された１又は複数の映像／音声ファイルからデータストリームを供給させるストリームサーバ装置によって実行された際、前記ストリームサーバ装置に実行させる命令を含むコンピュータプログラムであって、
前記ストリームサーバが前記クライアント装置にストリーミングしている第１の映像／音声ストリームの音声データのバンド幅要求に影響を与えるクライアント要求のプレゼンテーション作動の指示を解釈するステップと、
前記指示から前記作動を識別して前記作動を実行し、その結果前記クライアントに対する前記第１の映像／音声ストリームの音声データのレートを変化させるステップと、
前記第１の映像／音声ストリームの前記音声データに対する変化率のハンド幅影響の結果として、第２の映像／音声データストリームの映像ストリーミングレートが変化すべき量を判断し、前記量に従って前記第２の映像／音声データストリームの映像ストリーミングレートを変化させるステップと、を備え、
バンド幅影響の結果として第２の映像／音声ストリームの映像ストリーミングレートが変更されるべき量を前記ストリームサーバが判断することを可能にする前記命令は、前記作動の実行によってどの位のハンド幅が解放又は消費されるかを前記ストリームサーバが判断することができる命令をさらに含む
ことを特徴とするプログラム。
【請求項１２】  格納された１又は複数の映像／音声ファイルからデータストリームを供給させるストリームサーバ装置によって実行された際、前記ストリームサーバ装置に実行させる命令を含むコンピュータプログラムであって、
前記ストリームサーバが前記クライアント装置にストリーミングしている第１の映像／音声ストリームの音声データのバンド幅要求に影響を与えるクライアント要求のプレゼンテーション作動の指示を解釈するステップと、
前記指示から前記作動を識別して前記作動を実行し、その結果前記クライアントに対する前記第１の映像／音声ストリームの音声データのレートを変化させるステップと、
前記第１の映像／音声ストリームの前記音声データに対する変化率のハンド幅影響の結果として、第２の映像／音声データストリームの映像ストリーミングレートが変化すべき量を判断し、前記量に従って前記第２の映像／音声データストリームの映像ストリーミングレートを変化させるステップと、を備え、
前記ストリームサーバが第２の映像／音声ストリームのレートを変化すべき量を判断することを可能にする前記命令は、前記ストリームサーバが第２の映像／音声ストリームのレートの変化量を判断することを可能にする、前記第１の映像／音声ストリームより異なる単一プログラムトランスポートストリームの一部であるが、前記第１の映像／音声ストリームと同じ多重プログラムトランスポートストリームの一部である命令を含む
ことを特徴とするプログラム。
【請求項１３】  格納された１又は複数の映像／音声ファイルからデータストリームを供給させるストリームサーバ装置によって実行された際、前記ストリームサーバ装置に実行させる命令を含むコンピュータプログラムであって、
前記ストリームサーバが前記クライアント装置にストリーミングしている第１の映像／音声ストリームの音声データのバンド幅要求に影響を与えるクライアント要求のプレゼンテーション作動の指示を解釈するステップと、
前記指示から前記作動を識別して前記作動を実行し、その結果前記クライアントに対する前記第１の映像／音声ストリームの音声データのレートを変化させるステップと、
前記第１の映像／音声ストリームの前記音声データに対する変化率のハンド幅影響の結果として、第２の映像／音声データストリームの映像ストリーミングレートが変化すべき量を判断し、前記量に従って前記第２の映像／音声データストリームの映像ストリーミングレートを変化させるステップと、を備え、
前記ストリームサーバが前記第１の映像／音声ストリームをマルチプレクサへ前記作動が実施される前と同じレートでストリーミングすることを可能にし、前記第１の映像／音声ストリームレートを前記マルチプレクサ出力において変化させる命令を含む
ことを特徴とするプログラム。
【請求項１４】  格納された１又は複数の映像／音声ファイルからデータストリームを供給させるストリームサーバ装置によって実行された際、前記ストリームサーバ装置に実行させる命令を含むコンピュータプログラムであって、
前記ストリームサーバが前記クライアント装置にストリーミングしている第１の映像／音声ストリームの音声データのバンド幅要求に影響を与えるクライアント要求のプレゼンテーション作動の指示を解釈するステップと、
前記指示から前記作動を識別して前記作動を実行し、その結果前記クライアントに対する前記第１の映像／音声ストリームの音声データのレートを変化させるステップと、
前記第１の映像／音声ストリームの前記音声データに対する変化率のハンド幅影響の結果として、第２の映像／音声データストリームの映像ストリーミングレートが変化すべき量を判断し、前記量に従って前記第２の映像／音声データストリームの映像ストリーミングレートを変化させるステップと、を備え、
前記ストリームサーバが前記第２の映像／音声ストリームを前記クライアント装置以外の装置へ供給することを可能にする命令を含む
ことを特徴とするプログラム。